(57)【要約】  本発明は、積分Ａ／Ｄ変換によって単極性入力信号（ＵＥ）を検出する、測定増幅方法および装置に関する。ディジタル化される前に、入力信号（ＵＥ）は、いわゆるチョッパー原理に従って反転されて、両極性中間信号（ＵＺ）に変換される。本発明は、Ａ／Ｄ変換に使用される基準電圧（Ｕｒｅｆ）が、中間信号（ＵＺ）の極性逆転と同期された、極性逆転を受けることを特徴とする。オフセットおよびドリフトが、偶数の個々の測定値を合計することによって、完全に消去される。
2010507945.tif 000002
【特許請求の範囲】
【請求項１】
単極性入力信号（ＵＥ）を検出して該入力信号（ＵＥ）に対する尺度としてディジタル出力値を生成する、測定増幅装置であって、
極性逆転クロックパルスを用いるクロックパルス発生器によって制御されて、前記極性逆転クロックパルスで前記入力信号（ＵＥ）を両極性中間信号（ＵＺ）に変換する、切換え式インバータ（１０）と、前記中間信号に応じてディジタル出力値を生成する、Ａ／Ｄ変換器とを含む、前記測定増幅装置において、前記Ａ／Ｄ変換器は、
動作中に前記積分器に連続的に加えられる中間信号（ＵＺ）と、極性逆転クロックパルスと両極性であって、ある特定の時間に前記積分器に加えられる、作業レベルの基準信号（Ｕｒｅｆ）であって、クロックパルス発生器によって制御される基準電圧源（１２、２４）から生ずる前記基準信号（Ｕｒｅｆ）とを反復的に積分する、積分器（１８、２０）、
前記積分器（１８、２０）の下流に接続されて、積分器出力信号を閾値と比較する、比較器（２６）であって、比較結果に依存する比較器出力信号が、極性逆転クロックパルスを事前設定するための制御信号（ＳＺ）としてインバータおよび基準電圧源にフィードバックされる、前記比較器、および
作動レベルの基準信号（Ｕｒｅｆ）が積分器（１８、２０）にその間、加えられる測定間隔（Ｔｍ）の期間を、入力信号に対する尺度の基礎として検出する、時間測定手段
を含むことを特徴とする、前記測定増幅装置。
【請求項２】
比較器（２６）が、積分器出力信号が閾値と交差する各時点を計算するように構成され、制御手段（２８）が、比較器出力信号のフィードバックのために設けられており、前記制御手段が、計算された交差時点に応じて、切換え式インバータ（１０）を制御して、中間信号（ＵＺ）の極性逆転を起こさせるとともに、切換え式基準電圧源（１２、２４）を制御して、作動レベルの基準信号（Ｕｒｅｆ）を積分器（１８、２０）から切断させることを特徴とする、請求項１に記載の装置。
【請求項３】
制御手段（２８）が、作動レベルの基準信号（Ｕｒｅｆ）を積分器（１８、２０）から切断する度にそれに続く所定の時間間隔（ＴＣ）の後に、作動レベルの基準信号（Ｕｒｅｆ）を積分器（１８、２９）に新たに加えるために、切換え式基準電圧源（１４、２４）を制御するようにも構成されていることを特徴とする、請求項２に記載の装置。
【請求項４】
中間信号（ＵＺ）における連続する２つの極性逆転の間の全体期間が、入力信号（ＵＥ）に対する尺度の基礎としての役割を果たすことを特徴とする、請求項３に記載の装置。
【請求項５】
制御手段（２８）が、作動レベルの基準信号（Ｕｒｅｆ）を先行して積分器（１８、２０）に加える度にそれに続く一定時間間隔（ＴＴ）の後に、作動レベルの基準信号（Ｕｒｅｆ）を積分器（１８、２０）に新たに加えるために、切換え式基準電圧源（１２、２４）を制御するようにも構成されていることを特徴とする、請求項２に記載の装置。
【請求項６】
加算手段が偶数の実測間隔期間を合計するために設けられるとともに、入力信号に対する尺度として、合計値に基づく出力値を出力する出力手段が設けられている、請求項１〜５のいずれか一項に記載の装置。
【請求項７】
加算手段が、所定数の最も古い実測間隔の期間を用いず、先行する量定において考慮されなかった同数の最も新しい実測間隔の期間を用いて、現行の合計値の量定を、先行の量定がそれに基づいていた一連の実測間隔期間に基づかせるように構成されていることを特徴とする、請求項６に記載の装置。
【請求項８】
単極性入力信号（ＵＥ）を検出して該入力信号（ＵＥ）に対する尺度としてディジタル出力値を生成する、測定増幅方法であって、
極性逆転クロックパルス用いるクロックパルス発生器によって制御される切換え式インバータ（１０）を用いて、前記極性逆転クロックパルスで前記入力信号（ＵＥ）が両極性中間信号（ＵＺ）に変換され、該中間信号（ＵＺ）に応じて、ディジタル出力値がＡ／Ｄ変換器を用いて生成される、前記測定増幅方法において、
動作中に、反復積分のために、Ａ／Ｄ変換器の積分器（１８．２０）に、前記中間信号（ＵＺ）が連続的に加えられるとともに、極性逆転クロックパルスと両極性である作動レベルの基準信号（Ｕｒｅｆ）が、ある特定の時間に加えられ、前記基準信号は、クロックパルス発生器によって制御される基準電圧源（１２、２４）から生じていること、
積分器出力信号が、積分器（１８，２０）の下流に接続された比較器（２６）によって閾値と比較され、比較結果に依存する比較器出力信号が、インバータ（１０）と基準電圧源（１２、２４）とに、極性逆転クロックパルスを事前設定するための制御信号（ＳＺ）としてフィードバックされること、
作動レベルの基準信号（Ｕｒｅｆ）がその間、積分器（１８、２０）に加えられる測定間隔（Ｔｍ）の期間が、入力信号に対する尺度の基礎として、時間測定手段によって量定されることを特徴とする、前記測定増幅方法。
【請求項９】
積分器出力信号が閾値と比較されると、前記積分器出力信号が前記閾値とそこで交差する時点が検出され、検出された時点に応じて、中間信号（ＵＺ）の極性逆転と、作動レベルの基準信号（Ｕｒｅｆ）の積分器（１８、２０）からの切断とが実行される、請求項８に記載の方法。
【請求項１０】
基準信号（Ｕｒｅｆ）を積分器（１８、２０）から切断する度にそれに続いて、所定の時間間隔（ＴＣ）の後に、作動レベルの基準信号（Ｕｒｅｆ）が積分器（１８、２０）に再び加えられることを特徴とする、請求項１１に記載の方法。
【請求項１１】
中間信号（ＵＺ）における連続する２つの極性逆転の間の全体期間（ＴＴ）が、入力信号（ＵＥ）に対する尺度のための基礎として使用されることを特徴とする、請求項１０に記載の方法。
【請求項１２】
作動レベルの基準信号（Ｕｒｅｆ）を積分器（１８、２０）に先行して加える度にそれに続いて、一定時間間隔（ＴＴ）の後に、作動レベルの基準信号（Ｕｒｅｆ）が、積分器（１８、２０）に再び加えられることを特徴とする、請求項９に記載の方法。
【請求項１３】
偶数の連続する実測間隔期間が合計されて、入力信号に対する尺度が該合計値に基づいて出力されることを特徴とする、請求項８〜１２のいずれか一項に記載の方法。
【請求項１４】
合計値の現行の量定が、所定数の最も古い実測間隔の期間を用いず、先行の量定において考慮されなかった同数の最も新しい実測間隔の期間を追加的に用いて、先行の量定がそれに基づいていた一連の実測間隔期間に基づくことを特徴とする、請求項１３に記載の方法。
【発明の詳細な説明】
【技術分野】
【０００１】
本発明は、単極性入力信号を検出して該入力信号に対する尺度としてディジタル出力値を生成する、測定増幅装置であって、極性逆転クロックパルスを用いるクロックパルス発生器によって制御されて、該極性逆転クロックパルスで前記入力信号を両極性中間信号に変換する、切換え式インバータと、前記中間信号に応じてディジタル出力信号を生成する、Ａ／Ｄ変換器とを含む、前記測定増幅装置に関する。
【０００２】
本発明はまた、単極性入力信号を検出して該入力信号に対する尺度としてディジタル出力値を生成する、測定増幅方法であって、極性逆転クロックパルスを用いるクロックパルス発生器によって制御される切換え式インバータを用いて、該極性逆転クロックパルスで前記入力信号が両極性中間信号に変換され、該中間信号に応じて、ディジタル出力信号がＡ／Ｄ変換器を用いて生成される、前記測定増幅方法に関する。
【背景技術】
【０００３】
ＤＥ６９４２４９３１Ｔ１は、この種の汎用装置および汎用方法を開示している。測定信号のディジタル化検出のためのこの種の方法および装置は、チョッパー増幅またはチョッパー変換の用語で知られており、以下により詳細に説明する。
【０００４】
チョッパー原理を導入する前に、測定しようとするＤＣ電圧信号―以下では一般的に「入力信号」と呼び、その実際の由来は本発明には無関係である―は、ＤＣ電圧増幅器を用いて前置増幅され、次いでＡ／Ｄ変換器においてディジタル化される。いわゆる積分Ａ／Ｄ変換器は、例えば、ディジタル化に好適である。
【０００５】
積分Ａ／Ｄ変換器の原理は、例えば、ドイツ特許ＤＥ２１１４１４１、ＤＥ２８２０６０１Ｃ２、およびＤＥ１００４０３７３Ａ１から、多数の変形形態として古くから知られている。積分Ａ／Ｄ変換器において、測定信号は、積分器として構成された演算増幅器の入力に加えられる。積分器として構成するために、演算増幅器の出力は、キャパシタを介して、その測定信号入力に連結されている。演算増幅器の測定信号入力には、ＤＣ電圧基準信号用の供給回線が連結されている。この基準信号は、ある特定の時間においてのみ作動レベルで付加される。残りの時間の間には、この基準信号は、量的に少ない静止レベルで付加されるか、または、演算増幅器の入力から完全に切断されている。
【０００６】
測定クロックパルスの第１のパルス部分の間、作動レベルの基準信号は付加されず、キャパシタは、演算増幅器において増幅された測定信号によって充電される。所定の時間後に、作動レベルの基準信号のスイッチが入れられて、キャパシタは、第２のクロックパルス部分の間に放電して、その結果として積分器出力信号が低下する。積分器出力信号によるゼロ交差、またはより一般的には閾値交差の時点が、下流に接続された比較器によって検出され、この比較器自体は、制御手段を介して、作動レベルの基準信号を積分器入力から切断する工程を新たに開始し、それによって新規測定クロックパルスがキャパシタを充電し始めることができる。
【０００７】
第２のクロックパルス部分の期間、すなわち作動レベルの基準信号が積分器に加えられる時間スパンが、好適な時間測定手段、例えば、クロックドカウンタによって測定される。測定された時間期間は、本明細書においては実測間隔と呼び、第１のクロックパルス部分において生じるキャパシタの帯電に対する尺度、したがって測定信号のレベルに対する尺度を表わす。クロックドカウンタを用いる時間測定の場合には、カウンタ値は、測定信号に対するディジタル尺度として直接使用することができる。
【０００８】
これまでは、ＤＣ電圧入力信号の正確な前置増幅は、付随するオフセット電圧とそのドリフトのために困難であった。このことは、チョッパー原理の導入によって部分的に矯正され、このチョッパー原理は、１／ｆノイズの抑制に関しても有利である。
【０００９】
チョッパー原理を使用すると、入力信号は「チョッピング」され、すなわちインバータを用いて両極性中間信号に変換される。この中間信号は、本質的に両極性矩形信号であり、その極性は極性逆転クロックパルスと共に変化する。この極性逆転クロックパルスは、クロックパルス発生器によって事前設定されており、このパルス発生器は、好適な制御信号を介してインバータに結合されているか、またはインバータ自体の一体構成部分である。前記両極性中間信号は、公知のＡＣ電圧増幅器で前置増幅することができる。次いで、前置増幅されたＡＣ中間信号は、同相整流および後続のローパスフィルタリングによってＤＣ電圧測定信号に変換して戻すことができ、ここで整流器は、通常、反転工程およびそれに続く整流工程の同期を確保するために、同一のクロックパルス発生器によって制御される。次いで、結果として得られる電圧信号の後続のディジタル化を、積分Ａ／Ｄ変換器を用いて上述のように行うことができる。
【００１０】
同相整流とそれに続くローパスフィルタリングに対する代替選択肢として、両極性インバータ出力信号を直接的、かつ高周波でサンプリングすることが知られており、この場合には、インバータ出力信号のそれぞれの連続する半周期において検出されるサンプル値の平均値間の差を、量定しようとする信号に対する尺度として使用することができる。先述の相整流とそれに続くローパスフィルタリングの方法と比較して、この方法は、ＡＣ電圧前置増幅のオフセットとドリフトをディジタル消去するという利点がある。しかしながら、この方法は、限定された解像度の、非常に高周波数のサンプラーを必要とする欠点がある。
【００１１】
米国特許第２００５／０２１９１０５Ａ１により公知である、シグマ・デルタＡＤＣは、別個のクロックパルス発生器に応じて単極性入力信号を事前サンプリングし、この信号をアナログローパスフィルタとして動作する両極性積分器に離散的間隔で転送する。２つの並列の事前サンプリングキャパシタにおけるミスマッチ、ならびに測定信号において発生する可能性のあるオフセットを補償するために、事前サンプリングされた信号の極性は、クロックパルス発生器によって供給される一定の極性逆転クロックパルスに応じて切り換えられる。積分器出力信号は、１ビットＡＤＣとして動作する下流コンパレータにおいて、非常に高い周波数のディジタルパルス列に変換され、このパルス列が、１ビットＡＤＣとして動作する基準信号スイッチに供給される。この基準信号スイッチは、基準信号の極性を変化させ、この基準信号は、シグマ・デルタ変換の特徴であるアナログフィルタの入力信号を用いてディジタル１ビット信号の負のフィードバックを達成するために、１ビット信号のＨＩＧＨレベルおよび／またはＬＯＷレベルに応じて、積分器にも加えられる。
【００１２】
米国特許第５，２２９，７７２号で公知のＡＤＣ回路では、単極性入力信号が同様に事前サンプリングされ、やはり事前サンプリングされる基準信号と共に、積分器に離散間隔で転送される。事前サンプリングの間に、荷電レベルを増大させるために、測定信号および基準信号の極性が、それぞれ切り換えられる。しかしながら、測定信号の１つの極性だけが、不連続に積分器に加えられる。測定信号および基準信号における極性逆転は、独立した１つのクロックパルス発生器を用いて実施される。上述した方法での上方および下方の積分段階の生成に加えて、基準信号の極性も、積分器の下流に接続されたコンパレータの出力信号に応じて、逆転される。
【００１３】
測定ブリッジの離調信号の電圧／周波数変換を備える装置が、ＤＥ３６３３７９０Ａ１より知られており、この装置においては、離調信号の交互の上方積分および下方積分の原理と、比較器における閾値との比較とによって、ブリッジ離調を表わす周波数を有するパルストレインが生成される。この公知の装置において、測定ブリッジの供給電圧の極性は、外部の極性逆転クロックパルスに従って、ランダムに逆転される。測定ブリッジに付加される離調信号も、その極性が相応して変化し、これは、上方積分段階中に発生し、この期間に比較して、下方積分段階の期間は無視できるほど短い。この結果としてのパルストレイン中の位置不良のパルスを避けるために、出力されるパルスを遅延させる電荷バランスサイクルが開始されて、これはまた、次の下方積分段階を開始させる。
【発明の概要】
【００１４】
発明の目的
本発明の目的は、前置増幅器におけるオフセットおよびドリフトの有効な低減を、高周波数であるが、解像度の限定された追加の要素を導入することなく可能にする、汎用測定増幅装置および方法を提供することである。
【００１５】
発明の概要
本発明によれば、上記の目的は、請求項１のプリアンブルの特徴と合わせて、前記Ａ／Ｄ変換器が、動作中に前記積分器に連続的に加えられる中間信号と、極性逆転クロックパルスと両極性であって、ある特定の時間に前記積分器に加えられる作動レベルの基準信号であって、クロックパルス発生器によって制御される基準電圧源から生ずる前記基準信号とを反復的に積分する積分器、前記積分器の下流に接続されて、積分器出力信号を閾値と比較する比較器（２６）であって、比較結果に依存する比較器出力信号が、極性逆転クロックパルスを事前設定するための制御信号としてインバータおよび基準電圧源にフィードバックされる前記比較器、および作動レベルの基準信号が積分器に加えられる測定間隔の期間を入力信号に対する尺度の基礎として検出する時間測定手段を含むことにおいて達成される。
【００１６】
上記の目的はまた、請求項８のプリアンブルの特徴と合わせて、動作中に、反復積分のためにＡ／Ｄ変換器の積分器に前記中間信号が連続的に加えられるとともに、極性逆転クロックパルスと両極性である作動レベルの基準信号（Ｕｒｅｆ）が、ある特定の時間に加えられ、前記基準信号は、クロックパルス発生器によって制御される基準電圧源から生じていること、積分器出力信号が、積分器（１８、２０）の下流に接続された比較器（２６）によって閾値と比較され、比較結果に依存する比較器出力信号が、インバータと基準電圧源とに、極性逆転クロックパルスを事前設定するための制御信号としてフィードバックされること、および作動レベルの基準信号（Ｕｒｅｆ）がその間、積分器（１８、２０）に加えられる、測定間隔（Ｔｍ）の期間が、入力信号に対する尺度の基礎として、時間測定手段によって量定されることによって達成される。
【００１７】
本発明の根底をなす概念は、基準信号を、インバータの状態によって決まる中間信号の極性にそれぞれマッチングさせることによって、前置増幅されていてもよい中間信号を、直接ディジタル化することである。２つの連続積分段階の間に、積分器のキャパシタが、逆方向に充電されて、次いで、再び放電される。従来技術から知られているように、放電時間、すなわち作動レベルの基準信号がその間に加えられる時間が、中間信号のレベル、したがって入力信号の尺度とみなされる。
【００１８】
本発明の重要な利点は、従来技術においては必要とされる、アナログ中間信号、すなわち本質的にインバータ出力信号の整流およびローパスフィルタリングが結果として不要となることである。これによって、構成要素が節約され、関連する誤差源が削減される。他方で、上記のような欠点を生じるディジタルドメインにおける「整流」、すなわちオーバサンプリングされた両極性ディジタル化中間信号における平均化および差分形成も不要である。そうではなく、整流は、両極性基準信号のディジタル化の「自然」な結果として行われる。
本発明の特に好ましい態様は、従属請求項に定義される。
【００１９】
有利には、中間信号および基準信号の比較器出力信号への依存性は、比較器が、積分出力信号が閾値と交差する、特にゼロ交差する各時点を計算するように構成されており、制御手段が、比較器出力信号のフィードバックのために設けられており、前記制御手段は、計算された交差時点に応じて、切換え式インバータを制御し、中間信号において極性逆転を発生させるとともに、切換え式基準電圧源を制御して、作動レベルの基準信号を積分器から切断させる。言い換えると、積分出力信号が閾値、特にゼロ値と比較されるときに、検出された時点に応じて、積分出力信号が閾値と交差する時点が検出されること、および中間信号の極性逆転ならびに作動レベルの基準信号の積分器からの切断が実行されることが好ましい。
【００２０】
通常、制御の構成は、積分器出力信号による閾値交差またはゼロ交差、中間信号の極性逆転、および積分器入力からの作動レベルの基準信号の切断が、時間測定に使用されるクロックドカウンタのパルスと本質的に同時に、またはそれと同期して発生するようにされる。しかしながら、クロック同期同時性からの意図的な変更を設定することは可能である。Ａ／Ｄ変換器の収束挙動を改善するための相当する変更が、上記で引用したＤＥ１００４０３７３Ａ１から既知である。その刊行物に開示された原理は、本発明に容易に適用することができる。
【００２１】
本発明のこの態様の特に有利な展開においては、制御手段は、作動レベルの基準信号を積分器から切断する度にそれに続く所定の時間間隔の後に、作動レベルの基準信号を積分器に新たに加えるために、切換え式基準電圧源を制御するように構成されている。本発明による方法に関して、このことは、作動レベルの基準信号を積分器から切断する毎にそれに続く所定の時間間隔の後に、作動レベルの基準信号が、再び積分器に加えられることを意味している。
【００２２】
言い換えると、このことは、その間に積分器に基準信号が加えられないか、または静止レベルの基準信号が加えられる時間期間、したがって積分器のキャパシタがその間に充電される時間期間が、本質的に一定であることを意味する。したがって、積分器は、あらかじめ定められた充電時間を有する。それとは異なり、キャパシタの放電時間、すなわち、作動レベルの基準信号がその間に加えられる時間は可変であり、上方積分された電荷の量に依存する。この段階、すなわち実測間隔は、比較器出力信号によって停止されて、その期間が、中間信号のレベルに対する尺度として量定される。
【００２３】
なお、本発明のこの態様においては、１つの一定時間期間、具体的にはキャパシタの充電段階の期間のみが、可変クロックパルス部分、すなわち、実測間隔またはキャパシタの放電段階に加えられるので、実測間隔を量定するために、測定クロックパルス全体の期間、すなわち、本発明の好ましい態様においては、供給電圧における２回の極性逆転間の期間に等しい、上方積分段階と下方積分段階の期間を、中間信号に対する、およびそれから入力信号に対する尺度として実際に使用することもできることに留意すべきである。
【００２４】
可変測定クロックパルスを備える先述の変形形態の代替として、本発明の別の好ましい態様においては、測定クロックパルスは、一定に保たれる。この目的で、制御手段はまた、作動レベルの基準信号を積分器に先行して加える度に、それに続く固定時間の後に、作動レベルの基準信号を積分器に新たに加えるために、切換え式基準電圧源を制御するように構成される。本発明の方法に関して、このことは、基準信号を積分器に先行して加える度にそれに続く一定時間後に、作動レベルの基準信号を積分器に再び加えることを意味する。
【００２５】
言い換えると、作動レベルの基準信号を積分器に加えるための、２回の連続する切換え工程間の時間スパンは一定のままとなる。しかしながら、作動レベルの基準信号が積分器にその間、加えられ続ける時間スパン、言い換えると、積分器にその間、基準信号が適用されないか、または静止レベルの基準信号が加えられる時間は可変である。一定の測定クロックパルス内での充電段階および放電段階の比率は、したがって可変である。ここで、放電段階の期間と充電段階の期間の相互に単純な依存性があるために、実際に、これらの段階のそれぞれを測定して、実測間隔を量定することが可能であり、中間信号レベルの、そして結果的に入力信号に対する尺度に対する基礎としての役割を果たすことができることに留意すべきである。
【００２６】
上述のように、ＡＣ電圧前置増幅器を使用する場合には、オフセットおよびドリフトが、入力信号の測定の精度に対して重大な問題となる。オフセットは、中間信号の異なる極性を有する２つの連続する測定クロックパルスの間に、異なる信号レベルが積分器に加えられるという影響がある。一方で、ドリフトは、この種のオフセットは、時間経過と共に、例えば温度または湿度のために変化するので、一回の調整では消去できないという影響がある。しかしながら、この変化は、測定クロックパルスの期間と比較して、通常、非常にゆっくりと発生する。したがって、時間可変オフセットを消去するために、本発明の好ましい展開においては、偶数の実測間隔期間を合計するために、加算手段が設けられるとともに、入力信号に対する尺度として合計値に基づく出力値を出力するために、出力手段が設けられる。本発明による方法に関して、このことは、偶数の連続する実測間隔期間が合計され、この合計値に基づいて、入力信号に対する尺度が出力されることを意味する。このようにして、それぞれの電流オフセットは完全に消去される。
【００２７】
同時に、実測間隔期間の合計は、全体的な測定の解像度を向上させる。クロックドカウンタによる間隔期間の独立した測定には、１クロックパルスの誤差が含まれる。したがって、直ちに明らかなことは、ある数（偶数）の間隔期間を含むとともに、１カウンタパルスだけの誤差も含まれる連続的な測定は、比較的小さい誤差、すなわち良好な解像度を有することである。しかしながら、本事例では、ある数（偶数）の一連の個別に測定された間隔期間が合計される場合にも、解像度の向上が生じる。この理由は、基準信号のクロック同期制御によって、キャパシタ充電間隔の期間が、これらの充電間隔の期間がその間に埋め込まれている実測間隔の期間と独立ではないため、言い換えると、いわゆる正規分布が適用できないためである。したがって、偶数の実測間隔期間の合計による解像度向上効果は、上述の変形形態のそれぞれにおいて生じる。
【００２８】
好ましくは、加算手段は、所定数の最も古い実測間隔の期間を用いず、先行する量定においては考慮されなかった同数の最も新しい実測間隔の期間を追加的に用いて、現行の合計値の量定を、先行の量定がそれに基づいていた一連の実測間隔期間に基づかせるように構成される。本発明の方法に関しては、このことは、現行の合計値の量定が、所定数の最も古い実測間隔の期間を用いず、先行の量定においては考慮されなかった同数の最も新しい実測間隔の期間を追加的に用いて、先行の量定がそれに基づいていた一連の実測間隔期間に基づくことを意味する。
【００２９】
言い換えると、その期間をそれぞれ合計して入力信号に対するオフセットのない尺度を量定する、一連の実測間隔は、「移動ウィンドウ」の方法によって量定される。例えば、時点ｔ１、ｔ２、ｔ３およびｔ４（ここで、ｔ１＜ｔ２＜ｔ３＜ｔ４）において測定された実測間隔期間が、合計値を求めるために加算されると、時点ｔ２、ｔ３、ｔ４およびｔ５（ここで、ｔ２＜ｔ３＜ｔ４＜ｔ５）で測定された間隔期間を、後続の量定において加算することができる。このようにして、実測間隔期間のそれぞれの量定に続いて、入力信号に対する更新された尺度を出力することができ、各現行出力値は、この加算の結果として得られる、ゼロオフセット性および解像度の便益を受ける。この例においては、「移動ウィンドウ」は、それぞれ、１実測間隔だけ変位させられる。当然ながら、この変位に対して、その他のステップサイズを使用することもできる。
【００３０】
ここで、本発明による中間信号および基準信号の再分極のために、追加の誤差源が生じる危険があることにも留意すべきである。それによって導入される誤差は、再分極の頻度と共に増大する。本発明の一変形形態においては、中間信号における、したがって基準電圧における極性の逆転が、各測定クロックパルスによってではなく、ｎ番目の測定クロックパルス毎にのみ、すなわちｎ番目の実測間隔毎に起動され、ここでｎは好ましくは２から１００の間、特に２から１０の間にある。実際のｎの選択は、スイッチ頻度によって導入される誤差に対して、ｎを大きくした場合の、増大する反応慣性を考慮して行う必要がある。この変形形態においては、加算によるオフセットの消去のために、ｎの偶数倍の実測間隔期間を合計する必要がある。しかしながら、この変形形態においては、移動ウィンドウが使用される場合に、ステップサイズの選択は限定されない。
ここで、さらなる特徴および利点を例示的態様と図面を参照して説明する。
【図面の簡単な説明】
【００３１】
【図１】本発明の一態様の概略等価回路図である。
【図２】本発明の第１の態様の概略タイミング図である。
【図３】本発明の第２の態様の概略タイミング図である。
【００３２】
好ましい態様の詳細な説明
図１は、本発明による装置の概略等価回路図を示す。図１の左側には、２つの同時切換え可能なスイッチ１２ａおよび１２ｂを備えるインバータ回路１０を示してあり、この回路は、インバータ１０の入力に加えられる入力信号ＵＥ、すなわち測定しようとする単極性電圧を、本質的に矩形の両極性中間信号ＵＺに変換する。この変換は、インバータ１０の切換えのクロックレートにおいて行われ、このクロックレート自体は、変換器１０の制御入力に加えられる制御信号ＳＺによって事前設定される。このクロックパルスは、本明細書においては、極性逆転クロックパルスと呼ばれる。
【００３３】
図２は、インバータ１０の代替態様を示しており、この態様は、制御すべきスイッチが１個だけであるが、追加の演算増幅器を必要とする。
インバータ１０の実際の設計は、本発明とは関係がなく、実際の応用の特有の要件に応じて、当業者が選択することができる。入力信号ＵＥの由来は、本発明に対して必須要件ではない。
【００３４】
逆変換から生じる中間信号ＵＺは、図１に記載の態様における、ＡＣ電圧前置増幅器１４によって好適に前置増幅される。前置増幅器１４は、通常、オフセットおよびドリフトが発生し、その結果として、補正の必要な誤差が、通常、この点において測定値に進入する。
【００３５】
前置増幅器１４の出力電圧は、抵抗器１６を介して、対応する電流に変換され、この電流は、積分器として構成された演算増幅器１８の第１の入力に加えられる。演算増幅器１８の第２の入力は、本実施例においてはアースに接続されているが、原理的には、その他任意の一定電位をかけることもできる。演算増幅器１８の積分器としての構成は、キャパシタ電圧ＵＣがその両端に付加される積分キャパシタ２０を介して、その出力信号を第１の入力にフィードバックすることによって実現される。
【００３６】
また、演算増幅器１８の第１の入力に加えられるものに基準電圧Ｕｒｅｆがあり、これは抵抗器２２を介して、電流に変換される。基準電圧Ｕｒｅｆは、切換え式基準電圧源１２によって供給され、この切換え式基準電圧源は、適当な方法でインバータ１２と同期されている。図１に示す態様においては、このことは、追加のスイッチ２４と共に切換え式ＤＣ電圧源が基準電圧源１２として使用され、切換え式ＤＣ電圧源が、インバータ１０と同じ制御信号ＳＺによって制御されるという点で、特に有利に達成される。このようにして、基準電圧Ｕｒｅｆは、常に中間信号ＵＺと同時に極性逆転を受けるが、しかしながら、追加のスイッチ２４によって、追加のクロックレートを与えることができる。スイッチ２４は、それ自体の制御信号Ｓｒｅｆによって制御される。ここで、図示した態様において、基準電圧Ｕｒｅｆは、演算増幅器の入力に加えられるか、またはそれから切断されることに留意すべきである。他の考えられる態様においては、切断することの代わりに、量的に低い静止レベルを与えることができる。
【００３７】
演算増幅器１８とキャパシタ２０からなる積分器の下流に接続されているのは、図示した態様においては、アースされた異なる増幅器として構成されている、比較器２６である。その他の態様においては、この比較器は、アースとは異なる電位に接続することもできる。積分器出力電圧によるゼロ交差の時点は、比較器によって求めることができる。比較器２６の下流に接続された制御手段２８は、比較器出力信号を処理して、インバータ１０または基準電圧源１２を制御するための、制御信号ＳＺおよびＳｒｅｆを生成する。制御手段２８は、単に、図１における機能ブロックとして示してあり、純粋にハードウエアとして、またはハードウエアとソフトウエアの組合せとして、異なる方法で実現することができる。これらの動作モードを、本発明の２つの特に好ましい態様に対して、図３および４のタイミング図を参照して説明する。
【００３８】
図３は、本発明の第１の態様によるタイミング図を示す。この図は、個々の信号間の時間的関係を説明することだけを意図するものであり、表現は任意単位を使用している。上述のように、両極性中間信号ＵＺは、制御信号ＳＺに追従し、この制御信号ＳＳは、図示した態様においては、単極性信号であるが、当然ながら、例えば両極性としてもよく、かつ／またはパルス信号として実現することもできる。本質的に重要なことは、中間信号ＵＺおよび基準電圧Ｕｒｅｆにおける極性逆転が、制御信号ＳＳに応じて発生することである。表現を簡単にするために、中間信号ＵＺに対して時間と共に変化する可能性のあるオフセットを示す、反転前置増幅器１４の出力信号は、図３に示していない。ここで、前置増幅器１４の反転性質は本発明には関連がなく、回路の異なる点に加えられる電位の配列に依存することに留意すべきである。重要なことは、前置増幅された中間信号が、基準信号と異なる極性を有することだけである。
【００３９】
先述したように、基準電圧Ｕｒｅｆは、中間信号ＵＺと本質的に同様の極性逆転を生じる。これに、制御信号Ｓｒｅｆからのクロックパルスが加えられる。図３による態様において、基準電圧Ｕｒｅｆは、各測定クロックパルスの開始点において積分器１８、２０の入力から切断されている。この時間中には、反転前置増幅中間信号ＵＺだけが、演算増幅器１８の入力に加えられる。測定クロックパルスＴＴのこの第１のクロックパルス部分ＴＣの間に、キャパシタは充電されて、これがキャパシタ電圧ＵＣの（定量的な）上昇につながる。
【００４０】
図３の態様においては一定である、所定の周期ＴＣの後に、制御信号Ｓｒｅｆに応じてスイッチ２４を切り換えることによって、基準電圧Ｕｒｅｆが積分器１８、２０の入力に追加的に加えられる。その極性が測定信号に対して逆転しているために、後続のクロックパルス部分Ｔｍの間、キャパシタ２０は放電して、キャパシタ電圧ＵＣがゼロ交差するまで放電し、それが、比較器２６によって記録される。これらの時点は、図３においてジグザグ矢印で示されている。ゼロ交差の時点は、制御手段２８によって、制御信号ＳＺおよびＳｒｅｆ内のクロック同期変化に変換されて、その結果として中間信号ＵＺおよび基準電圧Ｕｒｅｆの極性が変化するだけでなく、基準電圧Ｕｒｅｆも、積分器１８、２０の入力から切断される。後続の測定クロックパルスは、上述したのと同様な方法であるが、逆転した極性を有して発生する。
【００４１】
中間信号ＵＺのレベルは、一定充電時間ＴＣの後、キャパシタ２０を再び放電させるために必要な、すなわち、ＵＣがゼロ交差するまでの、時間期間によって表わされる。この間隔は、実測間隔Ｔｍである。言及したように、充電時間ＴＣは一定であるので、実測間隔Ｔｍの期間および全体測定クロックパルスの期間ＴＴ＝ＴＣ＋Ｔｍの両方とも、中間信号ＵＺのレベルに対する尺度として求めることができる。ＴｍまたはＴＴ＝ＴＣ＋Ｔｍの期間の検出は、高周波カウンタを用いて実行するのが好ましく、この高周波カウンタは、ＴＣまたはＴｍの開始時に、好ましくはＳｒｅｆおよび／またはＳＺに応じて、始動される。異なる間隔期間の検出は、単一のカウンタを用いて実施することができる。
【００４２】
言及したように、前置増幅器１４によってオフセットを中間信号Uz中に導入してもよい。このことは、異なる極性の間隔は、異なるレベルの中間信号ＵＺを供給することを意味するといえる。そしてこのことは、異なる極性の２つの連続する測定クロックパルスは、異なる期間を有する結果となり、一方の測定クロックパルスの期間は、他方の測定クロックパルスの期間が短かすぎるのと同じ量だけ、長すぎることになる。２つ、またはより一般的には偶数の複数の実測間隔期間または測定クロックパルス期間を加算することによって、この誤差は、したがって補正することができ、その結果として、合計値は、入力信号ＵＥに対する正確な尺度となる。ここで、この補正は、ドリフトが合計された全体期間と比較して低速であれば、時間経過による、オフセットのいかなるドリフトとも独立であることに留意すべきである。充電周期ＴＣが一定であることによって、連続実測間隔Ｔｍ１、Ｔｍ２および２つの連続する完全測定クロックパルスの期間（ＴＣ＋Ｔｍ１）＋（ＴＣ＋Ｔｍ２）の両方を使用することができる。結果として、先に言及したように、ディジタル化の解像度を向上させることができる。入力信号ＵＥに対する出力尺度の迅速な更新を、上記で説明した「移動ウィンドウ」によって合計される実測間隔期間を選択することによって、達成することができる。
【００４３】
図４は、本発明の第２の態様の概略タイミング図を示しており、これに対しても、図３に関して述べた内容が当てはまる。図３による態様と異なり、それぞれの測定クロックパルスの全体期間ＴＴは図４において一定である。充電段階の相対的部分、すなわちここでも、基準電圧Ｕｒｅｆの追加の付加により、充電キャパシタを放電させるのに必要な時間の実際の実測間隔Ｔｍ、だけが可変である。
【００４４】
図４のタイミング図は、その他は、図３に対して説明したのと同様に解釈することができる。ここで、ＵＣの個々の部分の異なる勾配は、（増幅されている可能性のある）中間信号ＵＺと基準電圧Ｕｒｅｆの相対レベルの結果である。
図面において示し、詳細な説明において説明した態様は、もちろんのこと、本発明の実証的な例を意図するものである。本明細書での開示に照らせば、広範囲の可能な変更が、当業者には明らかである。例えば、入力信号ＵＥに大きなレベル変動がある場合に、ディジタル化された信号の迅速な集束を達成するために、特に、個々の切換え可能な信号の厳密な同期から、わずかな変更を行うことが可能である。
【図１】
2010507945.tif 000003
【図２】
2010507945.tif 000004
【図３】
2010507945.tif 000005
【図４】
2010507945.tif 000006
【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
単極性入力信号（ＵＥ）を検出して該入力信号（ＵＥ）に対する尺度としてディジタル出力値を生成する、測定増幅装置であって、
極性逆転クロックパルスを用いるクロックパルス発生器によって制御されて、前記極性逆転クロックパルスで前記入力信号（ＵＥ）を両極性中間信号（ＵＺ）に変換する、切換え式インバータ（１０）と、前記中間信号に応じてディジタル出力値を生成する、Ａ／Ｄ変換器とを含む、前記測定増幅装置において、前記Ａ／Ｄ変換器は、
動作中に前記積分器に連続的に加えられる中間信号（ＵＺ）と、両極性であって、ある特定の時間に前記積分器に加えられる、作業レベルの基準信号（Ｕｒｅｆ）であって、クロックパルス発生器によって制御される基準電圧源（１２、２４）から生ずる前記基準信号（Ｕｒｅｆ）とを反復的に積分する、積分器（１８、２０）、
前記積分器（１８、２０）の下流に接続されて、積分器出力信号を閾値と比較する、比較器（２６）であって、比較結果に依存する比較器出力信号が、制御信号（ＳＺ）としてインバータおよび基準電圧源にフィードバックされる、前記比較器、および
作動レベルの基準信号（Ｕｒｅｆ）が積分器（１８、２０）にその間、加えられる測定間隔（Ｔｍ）の期間を、入力信号に対する尺度の基礎として検出する、時間測定手段
を含み、切換え式基準電圧源（１２、２４）は、基準信号（Ｕｒｅｆ）が極性逆転クロックパルスと両極性となるように、極性逆転クロックパルスを事前設定するためにフィードバックされる制御信号によってインバータ（１０）と同期されていることを特徴とする、前記測定増幅装置。
【請求項２】
比較器（２６）が、積分器出力信号が閾値と交差する各時点を計算するように構成され、制御手段（２８）が、比較器出力信号のフィードバックのために設けられており、前記制御手段が、計算された交差時点に応じて、切換え式インバータ（１０）を制御して、中間信号（ＵＺ）の極性逆転を起こさせるとともに、切換え式基準電圧源（１２、２４）を制御して、作動レベルの基準信号（Ｕｒｅｆ）を積分器（１８、２０）から切断させることを特徴とする、請求項１に記載の装置。
【請求項３】
制御手段（２８）が、作動レベルの基準信号（Ｕｒｅｆ）を積分器（１８、２０）から切断する度にそれに続く所定の時間間隔（ＴＣ）の後に、作動レベルの基準信号（Ｕｒｅｆ）を積分器（１８、２９）に新たに加えるために、切換え式基準電圧源（１４、２４）を制御するようにも構成されていることを特徴とする、請求項２に記載の装置。
【請求項４】
中間信号（ＵＺ）における連続する２つの極性逆転の間の全体期間が、入力信号（ＵＥ）に対する尺度の基礎としての役割を果たすことを特徴とする、請求項３に記載の装置。
【請求項５】
制御手段（２８）が、作動レベルの基準信号（Ｕｒｅｆ）を先行して積分器（１８、２０）に加える度にそれに続く一定時間間隔（ＴＴ）の後に、作動レベルの基準信号（Ｕｒｅｆ）を積分器（１８、２９）に新たに加えるために、切換え式基準電圧源（１２、２４）を制御するようにも構成されていることを特徴とする、請求項２に記載の装置。
【請求項６】
加算手段が偶数の実測間隔期間を合計するために設けられるとともに、入力信号に対する尺度として、合計値に基づく出力値を出力する出力手段が設けられている、請求項１〜５のいずれか一項に記載の装置。
【請求項７】
加算手段が、所定数の最も古い実測間隔の期間を用いず、先行する量定において考慮されなかった同数の最も新しい実測間隔の期間を用いて、現行の合計値の量定を、先行の量定がそれに基づいていた一連の実測間隔期間に基づかせるように構成されていることを特徴とする、請求項６に記載の装置。
【請求項８】
単極性入力信号（ＵＥ）を検出して該入力信号（ＵＥ）に対する尺度としてディジタル出力値を生成する、測定増幅方法であって、
極性逆転クロックパルス用いるクロックパルス発生器によって制御される切換え式インバータ（１０）を用いて、前記極性逆転クロックパルスで前記入力信号（ＵＥ）が両極性中間信号（ＵＺ）に変換され、該中間信号（ＵＺ）に応じて、ディジタル出力値がＡ／Ｄ変換器によって生成される、前記測定増幅方法において、
動作中に、反復積分のために、Ａ／Ｄ変換器の積分器（１８．２０）に、前記中間信号（ＵＺ）が連続的に加えられるとともに、極性逆転クロックパルスと両極性である作動レベルの基準信号（Ｕｒｅｆ）が、ある特定の時間に加えられ、前記基準信号は、クロックパルス発生器によって制御される基準電圧源（１２、２４）から生じており、
積分器出力信号が、積分器（１８，２０）の下流に接続された比較器（２６）によって閾値と比較され、比較結果に依存する比較器出力信号が、インバータ（１０）と基準電圧源（１２、２４）とに、制御信号（ＳＺ）としてフィードバックされ、
作動レベルの基準信号（Ｕｒｅｆ）がその間、積分器（１８、２０）に加えられる測定間隔（Ｔｍ）の期間が、入力信号に対する尺度の基礎として、時間測定手段によって量定されており、
切換え式基準電圧源（１２、２４）は、基準信号（Ｕｒｅｆ）が極性逆転クロックパルスと両極性となるように、極性逆転クロックパルスを事前設定するためにフィードバックされる制御信号によってインバータ（１０）と同期されていることを特徴とする、前記測定増幅方法。
【請求項９】
積分器出力信号が閾値と比較されると、前記積分器出力信号が前記閾値とそこで交差する時点が検出され、検出された時点に応じて、中間信号（ＵＺ）の極性逆転と、作動レベルの基準信号（Ｕｒｅｆ）の積分器（１８、２０）からの切断とが実行される、請求項８に記載の方法。
【請求項１０】
基準信号（Ｕｒｅｆ）を積分器（１８、２０）から切断する度にそれに続いて、所定の時間間隔（ＴＣ）の後に、作動レベルの基準信号（Ｕｒｅｆ）が積分器（１８、２０）に再び加えられることを特徴とする、請求項１１に記載の方法。
【請求項１１】
中間信号（ＵＺ）における連続する２つの極性逆転の間の全体期間（ＴＴ）が、入力信号（ＵＥ）に対する尺度のための基礎として使用されることを特徴とする、請求項１０に記載の方法。
【請求項１２】
作動レベルの基準信号（Ｕｒｅｆ）を積分器（１８、２０）に先行して加える度にそれに続いて、一定時間間隔（ＴＴ）の後に、作動レベルの基準信号（Ｕｒｅｆ）が、積分器（１８、２０）に再び加えられることを特徴とする、請求項９に記載の方法。
【請求項１３】
偶数の連続する実測間隔期間が合計されて、入力信号に対する尺度が該合計値に基づいて出力されることを特徴とする、請求項８〜１２のいずれか一項に記載の方法。
【請求項１４】
合計値の現行の量定が、所定数の最も古い実測間隔の期間を用いず、先行の量定において考慮されなかった同数の最も新しい実測間隔の期間を追加的に用いて、先行の量定がそれに基づいていた一連の実測間隔期間に基づくことを特徴とする、請求項１３に記載の方法。
【国際調査報告】
2010507945.tif 000007
2010507945.tif 000008
2010507945.tif 000009
2010507945.tif 000010
2010507945.tif 000011
2010507945.tif 000012